(57)【要約】【課題】部品点数の増加を抑えつつ、収納棚を収納する外箱を補強できる昇降収納装置を提供する。【解決手段】下方に開口した外箱２と、外箱２に収納された上位置と外箱２から下方に突出した下位置との間で昇降可能な収納棚３と、照明装置４とを備える。照明装置４が、外郭を構成するケーシング５と、ケーシング５内に収納されてケーシング５に取り付けられた光源６０とを有する。ケーシング５が外箱２の補強部材とされ、ケーシング５に外箱２の前板２０が固定される。【選択図】図１
2014226394.tif 000002
【特許請求の範囲】
【請求項１】
下方に開口した外箱と、前記外箱に収納された上位置と前記外箱から下方に突出した下位置との間で昇降可能な収納棚と、照明装置とを備え、前記照明装置が、外郭を構成するケーシングと、前記ケーシング内に収納されて前記ケーシングに取り付けられた光源とを有し、前記ケーシングが前記外箱の補強部材とされ、このケーシングに前記外箱の前板が固定されたことを特徴とする昇降収納装置。
【請求項２】
前記収納棚を電動で昇降させる昇降装置を備え、前記ケーシングが、前記前板の前面側に露出する露出部を有し、この露出部に、前記照明装置及び前記昇降装置のうちの少なくとも一方を操作するための操作部が設けられたことを特徴とする請求項１に記載の昇降収納装置。
【発明の詳細な説明】
【技術分野】
【０００１】
本発明は、昇降可能な収納棚を備えた昇降収納装置に関する。
【背景技術】
【０００２】
特許文献１には、電動式の昇降棚ユニットが開示されている。この昇降棚ユニットは、前面と下面が開口した収納ボックスと、収納ボックスに収納される昇降棚を備えている。昇降棚は、収納ボックスに収納された位置と収納ボックスから下方に突出した位置との間で昇降自在になっている。収納ボックスの上板には、収納ボックスの前面開口を開閉する幕板がヒンジ結合されている。収納ボックスの下部の幕板側には、下降した昇降棚の内部を照明する照明装置が設けられている。この照明装置は、収納ボックスの両側板で支持された取付板の下面側に取り付けられている。
【先行技術文献】
【特許文献】
【０００３】
【特許文献１】特開２００８−１１９０１９
【発明の概要】
【発明が解決しようとする課題】
【０００４】
特許文献１に開示される昇降棚ユニットは、収納ボックスが両側板に架け渡された取付板で補強されている。しかし、このような取付け板を照明装置とは別に設けると、部品点数が多くなって、コストが増したり、組立てに手間がかかることが懸念される。また、収納ボックスの強度を高めるため、収納ボックスの両側板間に横架材を架け渡すことが考えられるが、この場合も、取付け板に加えて横架材を設ける必要があって、部品点数が多くなる恐れがある。
【０００５】
本発明は前記事情に鑑みてなされたものであって、部品点数の増加を抑えつつ、収納棚を収納する外箱を補強できる昇降収納装置を提供することを課題とする。
【課題を解決するための手段】
【０００６】
上記課題を解決するために本発明の昇降収納装置は、下方に開口した外箱と、前記外箱に収納された上位置と前記外箱から下方に突出した下位置との間で昇降可能な収納棚と、照明装置とを備え、前記照明装置が、外郭を構成するケーシングと、前記ケーシング内に収納されて前記ケーシングに取り付けられた光源とを有し、前記ケーシングが前記外箱の補強部材とされ、このケーシングに前記外箱の前板が固定されたことを特徴とする。
【０００７】
また、前記収納棚を電動で昇降させる昇降装置を備え、前記ケーシングが、前記前板の前面側に露出する露出部を有し、この露出部に、前記照明装置及び前記昇降装置のうちの少なくとも一方を操作するための操作部が設けられることが好ましい。
【発明の効果】
【０００８】
本発明にあっては、照明装置のケーシングによって外箱を補強することができる。また、このようにケーシングを補強部材として利用することで、部品点数の増加を抑え、照明装置を容易に組み立てることが可能になる。
【図面の簡単な説明】
【０００９】
【図１】本発明の第一実施形態の昇降収納装置の下部の斜視図である。
【図２】同上の昇降収納装置であって、収納棚を下位置に配置した状態を示す正面図である。
【図３】同上の昇降収納装置の前側下端部の側断面図である。
【図４】同上の昇降収納装置の照明装置であり、（ａ）は正面図、（ｂ）は側面図、（ｃ）は（ａ）のＡ−Ａ断面図である。
【図５】本発明の第二実施形態の昇降収納装置の照明装置であり、（ａ）は正面図、（ｂ）は側面図、（ｃ）は（ａ）のＢ−Ｂ断面図である。
【図６】本発明の第三実施形態の昇降収納装置の前側下端部の側断面図である。
【発明を実施するための形態】
【００１０】
以下、添付図面に基づいて本発明の実施形態につき説明する。まず、第一実施形態について説明する。図２には第一実施形態の昇降収納装置１が示されている。本実施形態の昇降収納装置１は、例えばキッチンスペースの壁に沿って設けられて、システムキッチン等のフロアーキャビネットの上方に配置される。
【００１１】
昇降収納装置１は、下方に開口する外箱２と、収納棚３と、収納棚３を昇降させる昇降装置（不図示）を備えている。昇降装置は、図１に示されるように収納棚３を外箱２に収納した上位置（収納位置）と、図２に示されるように収納棚３を外箱２から下方に突出した下位置（突出位置）との間で自動で昇降させる。また、昇降収納装置１は、外箱２の前板２０の下端部に設けられた照明装置４を備えており、照明装置４によって、外箱２から下方に突出した位置（下位置）に配置された収納棚３の内部を照明できるようになっている。
【００１２】
昇降収納装置１の外面を構成する外箱２は、前板２０、左右の側板２１、背板（不図示）、及び天板２２で構成されている。外箱２は、前板２０、両側板２１、背板、及び天板２２を組み合わせて、下面が開放された矩形箱状に形成される。
【００１３】
収納棚３は、外箱２よりも一回り小さい箱状に形成されており、前方に開口している。
【００１４】
昇降装置は電動式である。昇降装置としては、例えば、収納棚３に連結された紐状部材をモーターにより駆動する巻取ドラムによって巻き取ったり繰り出したりすることで、収納棚３を昇降させるものが用いられる。
【００１５】
照明装置４は、前板２０の下端部後方で且つ上位置に配置された収納棚３の下端部前方に位置する箇所に設けられる。照明装置４は、図３及び図４に示されるように、外殻を構成するケーシング５と、ケーシング５の内部に備え付けられた発光装置６を有している。
【００１６】
ケーシング５は、図１にも示されるように、左右に長い長尺な部材であって、その長手方向と直交する断面形状が縦長矩形状となる矩形箱状に形成されている。ケーシング５の長さは、外箱２の両側板２１間の距離と略同じである。ケーシング５は遮光性を有し且つ剛性の優れた材料により形成されている。ケーシング５は、例えば、ステンレスやアルミニウム等の金属、合成樹脂等によって形成される。なお、ケーシング５の材料はこれに限られず、また、ケーシング５は、材料自体が剛性の高いものに限られず、厚みを大きくする等、形状を工夫することで剛性を高めたものであってもよい。
【００１７】
発光装置６は、図４に示されるように、光源６０と、光源６０から発せられた光により発光する導光体６１を有している。また、図示は省略するが、発光装置６は、光源６０が実装された回路基板を有している。すなわち、発光装置６は、光源６０、回路基板、及び導光体６１で構成されている。
【００１８】
本実施形態の光源６０は、発光ダイオード（ＬＥＤ）で構成された点光源である。なお、光源６０は、発光ダイオードに限られず、電球等であってもよい。光源６０が設けられた回路基板は、ケーシング５の内面に対して固定される。これにより、光源６０は、ケーシング５の内面に取り付けられている。
【００１９】
光源６０は、ケーシング５の長手方向の一端部における下端部に配置されている。光源６０は、ケーシング５の長手方向の中央側に向かって光を発する向きで設けられている。
【００２０】
導光体６１は、透光性を有する棒状の部材であって、例えばアクリル樹脂やポリカーボネート樹脂等の合成樹脂によって形成される。導光体６１は、図示しないホルダー等を用いてケーシング５の内面に固定されている。
【００２１】
導光体６１は、長手方向の端部に設けられた入光部６１０と、長手方向に沿う一面に設けられた反射部６１１と、長手方向に沿う他の一面に設けられた出光部６１２とを有している。入光部６１０は、長尺な導光体６１の長手方向の一端面で構成されている。入光部６１０は、光源６０から発せられた光を導光体６１に入射させるため、光源６０に対向する位置に配置されている。なお、本実施形態の発光装置６は、導光体６１の長手方向の片側にのみ光源６０を設けたが、導光体６１の長手方向の両端面を入光部６１０として、導光体６１の長手方向の両側に光源６０を設けてもよい。
【００２２】
反射部６１１は、例えば導光体６１の上面に印刷や蒸着によって反射性の物質を設けたり、微細な凹凸を設けたり、二色成形によって反射部分を設けたりすることによって形成される。入光部６１０から導光体６１に入射した光は、導光体６１の内部を長手方向に沿って進行する過程で反射部６１１に当たり、反射部６１１において拡散して下側に反射される。
【００２３】
出光部６１２は、導光体６１の下面で構成されている。反射部６１１で下側に反射された光は、導光体６１の下面全体に亘る出光部６１２から下側に向けて出射されるようになっている。すなわち、光源６０を発光させることで、光源６０から発せられた光は、入光部６１０を介して導光体６１に入射し、次いで反射部６１１で反射し、この後、出光部６１２から出射される。
【００２４】
図４に示されるように、ケーシング５の下面部には、左右方向の略全長に亘る孔で構成された窓部５０が設けられている。窓部５０には、透光性を有する板状のカバー５１が嵌め付けられている。カバー５１は、窓部５０の全体に亘り、窓部５０を塞ぐ。出光部６１２から出射された光は、出光部６１２に対向するカバー５１を透過してケーシング５の外部に出射される。なお、カバー５１には、導光体６１から出射された光を拡散させる拡散機能や、導光体６１から出射された光を下斜め後方に傾けて出射する機能等を付加してもよい。
【００２５】
図１に示されるように、照明装置４のケーシング５は、カバー５１を下に向けた状態で、外箱２の両側板２１の間に架け渡される。ケーシング５の長手方向の両端面は、外箱２の対向する側板２１の前端部の下端部に当接される。ケーシング５の長手方向の両端部は、例えばビス等の固着具を用いて対応する側板２１に固定される。このように外箱２の両側板２１の間に架け渡されたケーシング５は、外箱２の形状を保つ補強部材としての役割を果たす。なお、ケーシング５は、外箱２の補強部材を兼ねるため、外箱２の前板２０及び側板２１よりも剛性の高い部材であることが好ましいが、これに限られるものではない。また、本実施形態では、外箱２の両側板２１間における前側には、従来の取付板のような前板２０の後面に沿う横架材を設けておらず、ケーシング５のみを架け渡してあるが、外箱２の強度を高めるため、ケーシング５とは別に、両側板２１の間に棧材等の横架材を架け渡し、この横架材に前板２０を固定してもよい。
【００２６】
外箱２の前面部を構成する前板２０の下端部には、前板２０と別体の幕板２００が取り付けられている。幕板２００は、中空状で、左右に長い帯板状に形成されている。幕板２００は、例えばアルミニウム製である。
【００２７】
幕板２００の左右方向の長さは、前板２０の左右幅と略同じであり、幕板２００の厚み（前後寸法）は、前板２０の厚みと略同じである。幕板２００は、上面を前板２０の下端面に当接した状態で、前板２０に取り付けられている。幕板２００の前面は、前板２０の前面と面一であり、幕板２００の後面は、前板２０の後面と面一である。幕板２００は、前板２０の左右方向の全長に亘って設けられている。
【００２８】
幕板２００には、操作器２０１が設けられている。操作器２０１の前端部には、操作部として、幕板２００の前面側に露出した操作パネル２０２が設けられている。操作パネル２０２には、照明装置４及び昇降装置を操作するためのスイッチ部（不図示）が複数設けられている。操作パネル２０２のスイッチ部を操作することで、光源６０の点消灯を切り替えたり、昇降装置に収納棚３の昇降の指令を送信できるようになっている。
【００２９】
前板２０の両側端部は、対応する側板２１の前端面に当接した状態で、対応する側板２１にビスやダボ等の固定具や接着剤を用いて取り付けられる。前板２０の下端部及び幕板２００は、ケーシング５の前面に当接される。前板２０は、照明装置４のケーシング５に対しても固定される。すなわち、ケーシング５は、前板２０の後側において両側板２１の間に架け渡されている。前板２０をケーシング５に固定するには、例えば前板２０をビス等の固定具を用いてケーシング５の前面部に固着すればよい。なお、前板２０をケーシング５に固定する方法は、これに限られず、例えば固定具を用いて前板２０をケーシング５の前面部以外の部分に固定してもよい。また、固定具を用いて幕板２００をケーシング５に固定することで、前板２０を間接的にケーシング５に固定してもよい。このように両側板２１に架け渡されたケーシング５に前板２０を固定することで、前板２０を強固に固定することができる。
【００３０】
収納棚３に物品を収納したり、収納棚３内の物品を取り出したりする際には、前板２０の前面側に露出した操作パネル２０２のスイッチ部により昇降装置を操作し、収納棚３を図２に示される下位置に配置する。このように、収納棚３を下位置に配置したときには、操作パネル２０２のスイッチ部を操作して、光源６０を発光させることで、導光体６１の出光部６１２から出射されてカバー５１を透過した光により、収納棚３を明るく照らすことができる。また、収納棚３を外箱２に収納するには、操作パネル２０２のスイッチ部を操作して収納棚３を図１に示される上位置に配置する。
【００３１】
以上説明した本実施形態の照明装置４は、下方に開口した外箱２と、外箱２に収納された上位置と外箱２から下方に突出した下位置との間で昇降可能な収納棚３と、照明装置４とを備える。照明装置４が、外郭を構成するケーシング５と、ケーシング５内に収納されてケーシング５に取り付けられた光源６０とを有する。ケーシング５が外箱２の補強部材とされ、ケーシング５に外箱２の前板２０が固定されたことを特徴とする。このため、照明装置４のケーシング５によって外箱２を補強することができる。また、このようにケーシング５を補強部材として利用することで、部品点数の増加を抑え、照明装置４を容易に組み立てることが可能になる。
【００３２】
次に第一実施形態とは異なる第二実施形態について説明する。なお、以下の説明では第一実施形態と同一の構成については同一の番号を付与し、重複する説明は省略する。
【００３３】
第二実施形態の昇降収納装置１は、照明装置４に内装される発光装置６が第一実施形態と異なる。本実施形態の発光装置６は、図５に示されるように、導光体６１を有しておらず、ケーシング５の長手方向に長い回路基板６２と、回路基板６２に設けられた多数の光源６０とで構成されている。光源６０は発光ダイオードであって、回路基板６２の片面である下面に長手方向に沿って一直線状に並べて実装されている。各光源６０はカバー５１の上方に配置され、下側（対向するカバー５１側）に向けて光を発する。操作パネル２０２のスイッチ部を操作して、多数の光源６０を発光させると、これら光源６０から発せられた光は、カバー５１を透過してケーシング５の外部に出射される。図示は省略するが、本実施形態の照明装置４のケーシング５も、第一実施形態と同様に、外箱２の両側板２１間に架け渡され、前板２０が固定される。
【００３４】
次に前記実施形態とはさらに異なる第三実施形態について説明する。なお、以下の説明では第一実施形態と同一の構成については同一の番号を付与し、重複する説明は極力省略する。
【００３５】
第三実施形態の昇降収納装置１は、図６に示されるように、第一実施形態の幕板２００に対応する部分が、照明装置４のケーシング５の一部で構成されている。本実施形態のケーシング５は、側面視縦長の本体部５２と、本体部５２の下端部から前方に突出した突出部５３とで構成されている。突出部５３は、本体部５２の前面部の下端部を前方に突出させたものであり、突出部５３内の空間は本体部５２内の空間と連続している。
【００３６】
本体部５２の左右長さは、外箱２の両側板２１間の距離と略同じである。突出部５３の左右長さは本体部５２よりも長く、前板２０の左右長さと略同じである。突出部５３の左右両端部は、本体部５２よりも左右方向における外側に突出している。ケーシング５の下面は、本体部５２の下面とこれと面一となる突出部５３の下面とで構成されており、このケーシング５の下面にカバー５１が設けられている。
【００３７】
突出部５３の前面部には、第一実施形態と同様の操作器２０１が取り付けられている。操作器２０１は、複数のスイッチ部を有する操作パネル２０２を突出部５３の前面５３０側に露出し、操作パネル２０２以外の部分を突出部５３内に収納した状態でケーシング５に取り付けられている。
【００３８】
ケーシング５の本体部５２は、左右方向の両端面が対応する側板２１の前端部の下端部に当接される。また、突出部５３の左右両端部の後面は、対応する側板２１の下端部の前端面に当接される。また、突出部５３の左右両端面は、対応する側板２１の外面側に露出し、対応する側板２１の外面と面一となる。そして、この状態で、ケーシング５の左右両端部がビス等の固定具を用いて対応する側板２１に固定されて、ケーシング５は両側板２１の間に架け渡される。
【００３９】
前板２０の後面は、本体部５２の突出部５３よりも上方の前面に当接される。また、前板２０の下端面には、突出部５３の上面が当接される。そして、この状態で前板２０はケーシング５に固定される。
【００４０】
ケーシング５の突出部５３の前面５３０は、前板２０の前面と面一となる。操作パネル２０２が設けられた突出部５３の前面は、前板２０の前面側に露出した露出部となっている。
【００４１】
昇降収納装置１は、本実施形態のように、収納棚３を電動で昇降させる昇降装置を備え、ケーシング５が、前板２０の前面側に露出する露出部を有し、露出部に、照明装置４及び昇降装置のうちの少なくとも一方を操作するための操作部が設けられることが好ましい。このようにすることで、幕板２００を省略でき、さらに部品点数を少なくすることができる。
【００４２】
なお、本実施形態の照明装置４は、ケーシング５に第一実施形態の発光装置６を内装したものであるが、第二実施形態の発光装置６を内装しても構わない。また、前記各実施形態のケーシング５は、外箱２の両側板２１間に架け渡されたものであるが、ケーシング５が外箱２の補強部材として機能するものであれば、ケーシング５の一端又は両端は、対応する側板２１に接続しなくてもよい。また、前記各実施形態の操作器２０１の操作パネル２０２は、照明装置４と昇降装置の両方を操作できるものであるが、照明装置４のみ、あるいは昇降装置のみ操作できるものであってもよい。
【符号の説明】
【００４３】
１  昇降収納装置
２  外箱
３  収納棚
４  照明装置      
５  ケーシング
２０  前板
２１  側板
６０  光源
２０２  操作パネル（操作部）
５３０  突出部の前面（露出部）
【図１】
2014226394.tif 000003
【図２】
2014226394.tif 000004
【図３】
2014226394.tif 000005
【図４】
2014226394.tif 000006
【図５】
2014226394.tif 000007
【図６】
2014226394.tif 000008